(57)【要約】【課題】輸液容器の出口ポートを適正な向きに保持できる輸液スタンドを提供する。【解決手段】輸液スタンド１０は、容器保持部２２と、点滴筒保持部２６と、輸液ポンプ保持部２４とを備える。容器保持部２２には、容器保持部２２に保持された状態の輸液容器８０の出口ポート８５を容器保持部２２から下方に突出させる切欠き部２２ｄが設けられる。また、容器保持部２２の下方には、容器保持部２２に保持された状態の輸液容器８０の出口ポート８５が奥側に指向することを防止するサポート部４４が設けられる。【選択図】図３
2012029900.tif 000002
【特許請求の範囲】
【請求項１】
輸液容器、輸液セットおよび輸液ポンプを収容可能であり、持ち運びが可能な輸液スタンドであって、
前記輸液容器に設けられた出口ポートを下方に向けた状態で前記輸液容器を保持可能な容器保持部と、
前記容器保持部の下方に設けられ、前記輸液セットに設けられた点滴筒を保持する点滴筒保持部と、
前記容器保持部の下方に設けられ、前記輸液ポンプを保持する輸液ポンプ保持部と、を備え、
前記容器保持部には、前記容器保持部に保持された状態の前記輸液容器の前記出口ポートを前記容器保持部から下方に突出させる切欠き部が設けられ、
前記容器保持部の下方には、前記容器保持部に保持された状態の前記輸液容器の前記出口ポートが奥側に指向することを防止するサポート部が設けられる、
ことを特徴とする輸液スタンド。
【請求項２】
請求項１記載の輸液スタンドにおいて、
前記サポート部は、前記容器保持部を下方から支持する、
ことを特徴とする輸液スタンド。
【請求項３】
請求項１記載の輸液スタンドにおいて、
前記輸液スタンドは、プラスチックダンボール材により構成される、
ことを特徴とする輸液スタンド。
【請求項４】
請求項３記載の輸液スタンドにおいて、
前記輸液スタンドは、
前記容器保持部、前記点滴筒保持部、前記輸液ポンプ保持部および前記サポート部が設けられ、前面が開放したスタンド本体と、
前記スタンド本体の前面側を開閉可能な蓋部とから構成され、
前記スタンド本体は、背面板と、前記背面板の左右端部から前面側に屈曲する左右の側面板とを有し、
前記蓋部は、下端が前記スタンド本体の下部に対して折り曲げ可能に設けられた前面板と、前記前面板の左右端部から張り出し、前記前面板に対して折り曲げ可能な左右の拡張部とを有し、
前記左右の拡張部は、それぞれ、前記左右の側面板に着脱可能に構成されている、
ことを特徴とする輸液スタンド。
【請求項５】
請求項４記載の輸液スタンドにおいて、
前記点滴筒保持部と前記輸液ポンプ保持部は、共通の板状部材に形成された複数の孔または切欠きにより構成される、
ことを特徴とする輸液スタンド。
【請求項６】
請求項４または５記載の輸液スタンドにおいて、
前記前面板には、前記蓋部を閉めた状態で、前記輸液ポンプ保持部に保持された状態の前記輸液ポンプを操作可能にする切欠き部が設けられる、
ことを特徴とする輸液スタンド。
【請求項７】
請求項４〜６のいずれか１項に記載の輸液スタンドにおいて、
前記前面板には、前記点滴筒保持部に保持された状態の前記点滴筒を視認可能にする切欠き部が設けられる、
ことを特徴とする輸液スタンド。
【請求項８】
請求項４〜７のいずれか１項に記載の輸液スタンドにおいて、
前記スタンド本体の上部には第１把持片が設けられ、
前記蓋部の上部には第２把持片が設けられ、
前記第１把持片と前記第２把持片とが重なって一体となることで、人手によって把持可能な把持部が構成される、
ことを特徴とする輸液スタンド。
【発明の詳細な説明】
【技術分野】
【０００１】
本発明は、輸液、輸血等を行う際に使用される輸液スタンドに関し、より詳しくは、輸液バッグ、輸液ポンプおよび輸液セットを収納でき、かつ持ち運びが容易な輸液スタンドに関する。
【背景技術】
【０００２】
輸液剤を点滴する場合に使用される輸液スタンドは、一般に、キャスターを備えた支柱の上部に、輸液剤を収容した輸液容器（輸液バッグ）を懸垂するためのフックの付いたハンガー部を設けた金属製の道具であり、ガードル台と呼ばれている。この様な輸液スタンドは、病院のベットサイドで使用する場合には便利であるが、輸液剤を点滴しながら病院内を歩行したり、トイレに行ったりする場合などには、床の段差等によるスムーズな移動ができないことや、また場所をとる等使いにくい点も多い。特に、在宅で使用する場合には、病院内に比べ段差やスペースの問題が更に重大な障害となり使い難いものとなっていた。
【０００３】
このような問題を解決する目的で、下記特許文献１では、輸液バッグ、輸液ポンプおよび輸液セットを収納でき、かつ持ち運びが容易な輸液スタンドが提案されている。特許文献１にて提案された輸液スタンドは、輸液スタンド本体と蓋体とから構成されるものであり、輸液スタンドには、輸液スタンドを持ち運び可能にする把持部と、輸液容器の移動および転倒を抑制する輸液容器収納部と、輸液ポンプの移動および転倒を抑制する輸液ポンプ収納部と、輸液セットの点滴筒を保持する点滴筒保持部とが設けられている。
【先行技術文献】
【特許文献】
【０００４】
【特許文献１】特許第４３４９７０２号公報
【発明の概要】
【発明が解決しようとする課題】
【０００５】
ところで、一般に、輸液容器は、軟質樹脂製の可撓性を有するシート材を重ね、その周縁部を融着または接着によりシールして、袋状に構成されたものである。このため、このような輸液容器を、特許文献１の輸液スタンドの輸液容器収納部に収納した場合、輸液容器の下側の周縁部が輸液容器収納部によって折り曲げられ、この結果、輸液容器に設けられた出口ポートが輸液スタンド本体の奥側を向いてしまう可能性がある。このように出口ポートが輸液スタンド本体の奥側を向いてしまうと、出口ポートに穿刺されたびん針に接続されたチューブに折れ曲がりが発生し、円滑な輸液が確保しがたくなることが懸念される。また、輸液容器収納部に収納した後に、輸液容器の出口ポートにびん針を穿刺する場合に、出口ポートが輸液スタンド本体の奥側に向いていると、出口ポートにびん針を穿刺しにくい。
【０００６】
本発明は上記の課題を考慮してなされたものであり、輸液容器の出口ポートを適正な向きに保持できる輸液スタンドを提供することを目的とする。
【課題を解決するための手段】
【０００７】
上記の目的を達成するため、本発明は、輸液容器、輸液セットおよび輸液ポンプを収容可能であり、持ち運びが可能な輸液スタンドであって、前記輸液容器に設けられた出口ポートを下方に向けた状態で前記輸液容器を保持可能な容器保持部と、前記容器保持部の下方に設けられ、前記輸液セットに設けられた点滴筒を保持する点滴筒保持部と、前記容器保持部の下方に設けられ、前記輸液ポンプを保持する輸液ポンプ保持部と、を備え、前記容器保持部には、前記容器保持部に保持された状態の前記輸液容器の前記出口ポートを前記容器保持部から下方に突出させる切欠き部が設けられ、前記容器保持部の下方には、前記容器保持部に保持された状態の前記輸液容器の前記出口ポートが奥側に指向することを防止するサポート部が設けられる、ことを特徴とする。
【０００８】
上記の構成によれば、容器保持部に保持させたときに出口ポートが奥側に向きやすい輸液容器を用いる場合でも、サポート部により出口ポートが奥側に向くことを防止できる。このため、出口ポートに穿刺されたびん針に接続されたチューブの折れ曲りが防止され、円滑な輸液を確保できる。
【０００９】
上記の輸液スタンドにおいて、前記サポート部は、前記容器保持部を下方から支持するとよい。
【００１０】
上記の構成によれば、容器保持部の強度の向上を図ることができ、輸液容器を安定して保持できる。
【００１１】
上記の輸液スタンドにおいて、前記輸液スタンドは、プラスチックダンボール材により構成されるとよい。
【００１２】
プラスチックダンボール材を用いることにより、輸液スタンドを安価に製造することができることから、より多くの患者に提供しやすく、また、ひとりの患者が使用した後、使い捨てとする１回使用品として用いることができる。また、軽量かつ適度の強度をもたせることができることから持ち運びが容易となり、しかも、輸液スタンドに輸液剤や他の液体が付着した場合でも、それを洗い流したり拭き取ったりすることで容易に除去することができる。
【００１３】
上記の輸液スタンドにおいて、前記輸液スタンドは、前記容器保持部、前記点滴筒保持部、前記輸液ポンプ保持部および前記サポート部が設けられ、前面が開放したスタンド本体と、前記スタンド本体の前面側を開閉可能な蓋部とから構成され、前記スタンド本体は、背面板と、前記背面板の左右端部から前面側に屈曲する左右の側面板とを有し、前記蓋部は、下端が前記スタンド本体の下部に対して折り曲げ可能に設けられた前面板と、前記前面板の左右端部から張り出し、前記前面板に対して折り曲げ可能な左右の拡張部とを有し、前記左右の拡張部は、それぞれ、前記左右の側面板に着脱可能に構成されているとよい。
【００１４】
上記の構成によれば、板状の各部材により全体として箱状に構成されるので、取り扱いが容易であり、また、蓋部を閉めた状態では内部の収容物（輸液容器等）が隠されるため、意匠性の向上を図ることができる。
【００１５】
上記の輸液スタンドにおいて、前記点滴筒保持部と前記輸液ポンプ保持部は、共通の板状部材に形成された複数の孔または切欠きにより構成されるとよい。
【００１６】
上記の構成によれば、点滴筒保持部と輸液ポンプ保持部とを簡単な構造で構成することができる。
【００１７】
上記の輸液スタンドにおいて、前記前面板には、前記蓋部を閉めた状態で、前記輸液ポンプ保持部に保持された状態の前記輸液ポンプを操作可能にする切欠き部が設けられるとよい。
【００１８】
上記の構成によれば、蓋部を閉めた状態でも輸液ポンプを操作でき、輸液ポンプの操作のために蓋部を開ける必要がないので、使い勝手を向上できる。
【００１９】
上記の輸液スタンドにおいて、前記前面板には、前記点滴筒保持部に保持された状態の前記点滴筒を視認可能にする切欠き部が設けられるとよい。
【００２０】
上記の構成によれば、蓋部を閉めた状態でも点滴筒の状態を確認することができるので、使い勝手を向上できる。
【００２１】
上記の輸液スタンドにおいて、前記スタンド本体の上部には第１把持片が設けられ、前記蓋部の上部には第２把持片が設けられ、前記第１把持片と前記第２把持片とが重なって一体となることで、人手によって把持可能な把持部が構成されるとよい。
【００２２】
上記の構成によれば、スタンド本体と蓋部とにそれぞれ設けられた第１把持片と第２把持片とによって把持部が構成されるので、把持部を把持することにより輸液スタンドを持ち上げた際には、第１把持片と第２把持片とによって輸液スタンドがバランスよく吊られ、これによって輸液スタンドを安定して持ち運ぶことができる。
【発明の効果】
【００２３】
本発明に係る輸液スタンドによれば、輸液容器の出口ポートを適正な向きに保持できるので、出口ポートに穿刺されたびん針に接続されたチューブの折れ曲りが防止され、円滑な輸液を効果的に確保できる。また、輸液容器が輸液容器保持部に保持された状態でも、輸液容器の出口ポートにびん針を穿刺しやすい。
【図面の簡単な説明】
【００２４】
【図１】蓋部を開いた状態の本発明の一実施形態に係る輸液スタンドを示す斜視図である。
【図２】輸液容器、輸液ポンプおよび輸液セットの平面図である。
【図３】輸液容器、輸液ポンプおよび輸液セットを保持し、蓋部を開いた状態の一実施形態に係る輸液スタンドを示す斜視図である。
【図４】輸液容器、輸液ポンプおよび輸液セットを収納し、蓋部を閉じた状態の一実施形態に係る輸液スタンドを示す斜視図である。
【図５】内箱と外箱を分離した状態の参考例に係る輸液スタンドを示す斜視図である。
【図６】図６Ａは、内箱に輸液容器をセットする手順を示す第１の図であり、図６Ｂは、内箱に輸液容器をセットする手順を示す第２の図である。
【図７】輸液容器、輸液ポンプおよび輸液セットを保持し、蓋部を開いた状態の参考例に係る輸液スタンドを示す斜視図である。
【図８】輸液容器、輸液ポンプおよび輸液セットを収納し、蓋部を閉じた状態の参考例に係る輸液スタンドを示す斜視図である。
【発明を実施するための形態】
【００２５】
以下、本発明に係る輸液スタンドについて好適な実施の形態を挙げ、添付の図面を参照しながら説明する。
【００２６】
図１は、本発明の一実施形態に係る輸液スタンド１０の全体斜視図である。この輸液スタンド１０は、輸液剤を点滴する場合に使用されるものであり、輸液剤を収容した輸液容器８０（輸液バッグ）、輸液ポンプ８２および輸液セット８４（図２参照）を内部に収納し、点滴を実施する患者自身が持ち運べるように構成されたものである。なお、図１において、矢印Ｌ、Ｒ、Ｆｒ、Ｒｒは、それぞれ、輸液スタンド１０の左側、右側、前側（前面側／手前側）、背面側（奥側／後方側）を示している。
【００２７】
図１に示すように、輸液スタンド１０は、複数の板状部材により全体として箱状に構成されており、輸液容器８０、輸液ポンプ８２および輸液セット８４を保持可能に構成されたスタンド本体１２と、スタンド本体１２の前面側を開閉可能な蓋部１４とを有する。
【００２８】
スタンド本体１２は、底面板１６と、底面板１６の後端部から上方に屈曲する背面板１８と、背面板１８の左右端部から前面側に屈曲する左右の側面板２０ａ、２０ｂと、背面板１８の上端から延出する第１上部片２１と、背面板１８の前面側上部寄りの位置に設けられた容器保持部２２と、背面板１８の前面側下部の左右一方（図１では左側）に設けられた輸液ポンプ保持部２４と、背面板１８の前面側下部の左右他方（図１では右側）に設けられた点滴筒保持部２６とを有する。
【００２９】
底面板１６は、左右方向に長手方向を向けた略長方形の部分である。背面板１８は、上下方向に長手方向を向けた略長方形の部分であり、図示例では、上方に向かうに従って前方に寄るように傾斜している。この傾斜角度は、例えば、３度〜１０度程度である。
【００３０】
左右の側面板２０ａ、２０ｂは、上下方向に長尺な形状を呈しており、図示例では、上方に向かうに従って、前縁部が後方に寄るように傾斜し、後縁部が前方に寄るように傾斜している。このため、側面板２０ａ、２０ｂは、上方に向かうに従って、幅（前後方向の寸法）が小さくなっている。
【００３１】
言い換えれば、スタンド本体１２の前後方向の大きさ（厚さ）は、下方ほど大きくなっており、これにより輸液スタンド１０を置いたときの安定性を確保している。左右の側面板２０ａ、２０ｂの一方（図示例では、左側の側面板２０ａ）には、輸液セット８４の第２チューブ９２を挿入可能な切欠き部２８が形成されている。
【００３２】
第１上部片２１は、背面板１８に対して折り曲げ線３０の箇所で折り曲げ可能に設けられた中間部３２と、中間部３２に対して折り曲げ線３３の箇所で折り曲げ可能に設けられた第１把持片３４とを有する。第１把持片３４の左右方向の略中央部には、人手を入れて引っ掛けるための、左右方向に延在する孔部３５が形成されている。
【００３３】
容器保持部２２は、輸液容器８０を保持することが可能なように構成されており、スタンド本体１２の上段部に位置している。ここで、輸液容器８０を保持するとは、輸液容器８０の移動および転倒を抑制することも含む意味である。図示例の容器保持部２２は、上方に開口した有底の箱状に形成され、接着等の適宜の接合手段により、背面板１８の前面と、左右の側面板２０ａ、２０ｂとに接合して固定されている。
【００３４】
また、容器保持部２２には、前面板２２ａから底板２２ｂにわたって切欠き部２２ｃ、２２ｄが形成されている。切欠き部２２ｃは、前面板２２ａを左右に分断しており、切欠き部２２ｄは、切欠き部２２ｃの下部と連なるように形成され、底板２２ｂの前寄りの部分のみを切り欠いている。なお、切欠き部２２ｃを設けない構成も採用し得るが、切欠き部２２ｃを設けた場合、容器保持部２２に輸液容器８０を収納したときに輸液容器８０の表面を露出させることができるため、輸液容器８０の表面に記載された情報を視認しやすい。
【００３５】
輸液ポンプ保持部２４は、輸液ポンプ８２を保持することが可能なように構成されている。点滴筒保持部２６は、点滴筒９０を保持することが可能なように構成されている。ここで、輸液ポンプ８２を保持するとは、輸液ポンプ８２の移動および転倒を抑制することも含む意味である。同様に、点滴筒９０を保持するとは、点滴筒９０の移動および転倒を抑制することも含む意味である。
【００３６】
図１に示すように、輸液ポンプ保持部２４および点滴筒保持部２６は、共通の板状部材に形成された孔部または切欠き部により構成されている。具体的には、スタンド本体１２の下部に設けられた下側保持部形成部材３８の上面部３８ａの左右方向一方側（図１では左寄りの箇所）に形成した第１孔部４０により輸液ポンプ保持部２４が構成され、下側保持部形成部材３８における左右方向他方側（図１では右寄りの箇所）で上面部３８ａから前面部３８ｂにわたって形成された第２孔部４２により点滴筒保持部２６が構成されている。
【００３７】
第１孔部４０は、輸液ポンプ８２を挿入可能であり、挿入した輸液ポンプ８２を正面側に向けて起立姿勢に保持できるように形状および大きさが設定される。図示例の第１孔部４０は、左右方向に長尺の略長方形状に形成されている。下側保持部形成部材３８の前面部３８ｂには、第１孔部４０に輸液ポンプ８２が保持されたときに輸液ポンプ８２の表示部９９および操作ボタン１００が前面側に露出するように位置、形状および大きさが設定された開口部４３が形成されている。
【００３８】
第２孔部４２は、点滴筒９０を挿入および係合可能であり、挿入した点滴筒９０を起立姿勢に保持できるように形状および大きさが設定される。図示例の第２孔部４２の形成範囲は、下側保持部形成部材３８の上面部３８ａのみならず、前面部３８ｂにも及んでおり、第２孔部４２に点滴筒９０が保持された状態で点滴筒９０が前面側に露出するようになっている。また、上面部３８ａにおいて、第２孔部４２の後部には、第２孔部４２と連通する凹部４５が形成されている。この凹部４５は、第２孔部４２の後部を部分的に切り欠いて形成したものであり、輸液セット８４の第２チューブ９２を挿入できる大きさに設定されている。
【００３９】
図１に示すように、スタンド本体１２において、容器保持部２２の下方にはサポート部４４が設けられている。このサポート部４４は、その前面が背面板１８よりも前方側に位置しており、容器保持部２２に保持された状態の輸液容器８０の出口ポート８５が奥側に指向することを防止するとともに、容器保持部２２を下方から支持して容器保持部２２の強度を確保する機能を有する。サポート部４４の前面は、スタンド本体１２の前後方向の中央位置よりも前方側に位置するのが好ましい。サポート部４４は容器保持部２２を力学的に支持することは必ずしも必要ではなく、出口ポート８５が奥側に指向することを防止できればよく、容器保持部２２と分離させていてもよい。
【００４０】
蓋部１４は、スタンド本体１２の底面板１６の前端部に対して折り曲げ線４６の箇所で折り曲げ可能に設けられた略四角形（略長方形または略正方形）の前面板４８と、前面板４８の左右端部から張り出し、前面板４８に対して折り曲げ線５６、５７の箇所で折り曲げ可能な左右の拡張部５０ａ、５０ｂと、前面板４８の先端から延出する第２上部片５２とを有する。
【００４１】
前面板４８は、スタンド本体１２の前面側の略全体を覆う大きさを有している。前面板４８において、スタンド本体１２の第１孔部４０に対応する箇所には、蓋部１４を閉めた状態で輸液ポンプ保持部２４に保持された輸液ポンプ８２の操作を可能とする第１開口部５３が形成されている。なお、第１開口部５３は、蓋部１４を閉めた状態で輸液ポンプ８２の表示部９９を視認できるようにも形成されている。また、前面板４８において、スタンド本体１２の第２孔部４２に対応する箇所には、蓋部１４を閉めた状態で点滴筒保持部２６に保持された点滴筒９０の視認を可能とする第２開口部５４が形成されている。
【００４２】
左右の拡張部５０ａ、５０ｂは、前面板４８に対してそれぞれ折り曲げ線５６、５７の箇所で折り曲げ可能に設けられており、それらの内面には、結合片として、面ファスナを構成する一方のシート５８、５９（例えばメスシート）が取り付けられている。一方、スタンド本体１２の左右の側面板２０ａ、２０ｂには、結合片として、面ファスナを構成する他方のシート６０、６１（例えばオスシート）が取り付けられている。
【００４３】
このように拡張部５０ａ、５０ｂに設けられたシート（結合片）５８、５９と、側面板２０ａ、２０ｂに設けられたシート（結合片）６０、６１とによりそれぞれ一対の面ファスナ（結合手段）が構成される。したがって、蓋部１４を閉じた状態で、拡張部５０ａ、５０ｂを折り曲げ線５６、５７の箇所で側面板２０ａ、２０ｂ側に折り曲げ、拡張部５０ａ、５０ｂに取り付けられたシート５８、５９を、側面板２０ａ、２０ｂに取り付けられたシート６０、６１に重ねることで、側面板２０ａ、２０ｂと拡張部５０ａ、５０ｂとが結合し、蓋部１４が閉じた状態が保持される。
【００４４】
左右の側面板２０ａ、２０ｂのうち、スタンド本体１２の切欠き部２８が設けられた側と同じ側の側面板（図示例では左側の側面板２０ａ）には、輸液セット８４の第２チューブ９２を挿入可能な切欠き部６４が形成されている。
【００４５】
第２上部片５２は、前面板４８に対して折り曲げ線６６の箇所で折り曲げ可能に設けられた中間部６７と、中間部６７に対して折り曲げ線６８の箇所で折り曲げ可能に設けられた第２把持片７０とを有する。第２把持片７０の左右方向の略中央部には、人手を入れて引っ掛けるための左右方向に延在する孔部６９が形成されている。
【００４６】
第２把持片７０の内面には、結合片として、面ファスナを構成する一方のシート７１、７２（例えばメスシート）が取り付けられている。一方、スタンド本体１２の第１把持片３４には、結合片として、面ファスナを構成する他方のシート７３、７４（例えばオスシート）が取り付けられている。
【００４７】
このように第１把持片３４に設けられたシート（結合片）７３、７４と第２把持片７０に設けられたシート（結合片）７１、７２とによりそれぞれ一対の面ファスナ（結合手段）が構成される。したがって、蓋部１４を閉じた状態で、中間部３２、６７を折り曲げ線３０、６６の箇所で内側に折り曲げ、第１把持片３４と第２把持片７０とを重ね合わせることで、シート７１、７３同士およびシート７２、７４同士が結合され、第１把持片３４と第２把持片７０とにより人手によって把持可能な把持部７６（図４参照）が構成される。
【００４８】
本実施形態において、輸液スタンド１０の主たる構成材料は、プラスチックダンボール材である。プラスチックダンボール材は、例えば、ポリプロピレン樹脂（ＰＰ）を原材料とする中空構造の板状部材であり、軽さと強度を両立し、しかもコストパフォーマンスに優れた材料である。
【００４９】
上記のように構成された輸液スタンド１０は、図２に示す輸液容器８０、輸液ポンプ８２および輸液セット８４を収納することが可能である。
【００５０】
輸液容器８０は、ポリ塩化ビニル、ポリオレフィンのような軟質樹脂製の可撓性を有するシート材を重ね、その周縁部を融着または接着によりシールして、袋状に構成されたものであり、その内部には輸液剤が収容されている。輸液容器８０の下部には、出口ポート８５が設けられている。
【００５１】
輸液セット８４は、びん針８６（穿刺針）と、一端がびん針８６に連結された可撓性を有する第１チューブ８８と、第１チューブ８８の他端に連結された点滴筒９０と、一端が点滴筒９０の下端に連結された可撓性を有する第２チューブ９２と、第２チューブ９２の途中位置に取り付けられたクランプ９４と、第２チューブ９２の他端に連結されたコネクタ９６とを有する。
【００５２】
びん針８６は、出口ポート８５に穿刺可能であり、出口ポート８５にびん針８６が穿刺されると、びん針８６内のルーメンと輸液容器８０の内部とが連通状態となり、輸液剤がびん針８６を介して第１チューブ８８側に流入可能となる。点滴筒９０は、輸液剤の滴下および貯留を行い、第２チューブ９２へ輸液剤を送る。点滴筒９０から流出した輸液剤は、第２チューブ９２を通ってコネクタ９６へと達する。第２チューブ９２の途中位置には、第２チューブ９２の流路を開閉するクランプ９４が設けられている。
【００５３】
輸液ポンプ８２は、第２チューブ９２を押圧することで輸液剤を移送する装置であり、あらかじめ設定した移送速度および移送量で輸液剤を移送することができるように構成されている。輸液ポンプ８２には、モータ、押圧部等を含む駆動部９８と、動作状態を表示する表示部９９と、人手によって操作される操作ボタン（操作入力部）１００とが設けられている。
【００５４】
本発明の一実施形態に係る輸液スタンド１０は、基本的には以上のように構成されるものであり、以下、その作用及び効果について説明する。
【００５５】
輸液容器８０、輸液セット８４および輸液ポンプ８２を輸液スタンド１０に収納するには、以下のような手順で行うことができる。まず、図３の状態にするまでの手順について説明する。内部の輸液剤１８５が輸液容器８０の下半分に移動するように、輸液容器８０の上部を持って持ち上げ、容器保持部２２に収納する。この場合、出口ポート８５が切欠き部２２ｄを通して容器保持部２２の下方に突出するように、容器保持部２２に対して輸液容器８０を位置させる。
【００５６】
次に、輸液剤１８５が入っていない、輸液容器８０の上部寄りの部分を後ろ側に折り曲げ、折り曲げた部分８０ｂを容器保持部２２に収納する。このように、輸液容器８０は、全体が伸ばされた状態で収容されるのではなく、折り曲げた状態でコンパクトに収容されるので、輸液スタンド１０の高さ寸法を低減できる。したがって、輸液スタンド１０を軽量かつコンパクトな構成にすることができる。
【００５７】
容器保持部２２に輸液容器８０を収納したら、出口ポート８５に輸液セット８４のびん針８６を穿刺する。この場合、容器保持部２２の下方の、切欠き部２２ｄに対応する箇所に設けられたサポート部４４により、出口ポート８５が奥側（Ｒｒ方向側）に向くことが防止されるため、びん針８６に接続された第１チューブ８８の折れ曲りが防止される。また、サポート部４４は、容器保持部２２を下方から支持するため、容器保持部２２の強度が確保される。
【００５８】
次に、点滴筒９０を点滴筒保持部２６に挿入して保持させるとともに、輸液ポンプ８２を輸液ポンプ保持部２４に挿入して保持させる。第１チューブ８８は、容器保持部２２の下方の余った空間に収納する。第２チューブ９２は、必要な長さ分だけ輸液スタンド１０の外側に出るように切欠き部２８に挿入し、残りの部分は容器保持部２２の下方の余った空間に収納する。
【００５９】
次に、蓋部１４を閉じ、左側の拡張部５０ａをシート５８、６０により固定するとともに、右側の拡張部５０ｂをシート５９、６１により固定する。また、第１把持片３４と第２把持片７０とをシート７１、７２、７３、７４により結合する。これにより、図４に示すように、輸液スタンド１０の内部に輸液容器８０、輸液セット８４および輸液ポンプ８２が収納された状態となる。
【００６０】
以上のように、本実施形態に係る輸液スタンド１０によれば、容器保持部２２に保持させたときに出口ポート８５が奥側に向きやすい輸液容器８０を用いる場合でも、サポート部４４により出口ポート８５が奥側に向くことを防止できる。このため、出口ポート８５に穿刺されたびん針８６に接続された第１チューブ８８の折れ曲りが防止され、円滑な輸液を確保できる。また、サポート部４４は、容器保持部２２を下方から支持するので、容器保持部２２の強度が確保され、輸液容器８０を安定して保持できる。
【００６１】
本実施形態に係る輸液スタンド１０は、プラスチックダンボール材で構成されているため、輸液スタンド１０を安価に製造することができ、より多くの患者に提供しやすい。また、軽量かつ適度の強度をもたせることができることから持ち運びが容易となる。しかも、紙製のダンボールと異なり、プラスチックダンボール材は、液体が浸透することがなく、輸液スタンド１０に輸液剤や他の液体が付着した場合でも、それを洗い流したり拭き取ったりすることで容易に除去することができる。また、ひとりの患者が使用した後、使い捨てとする１回使用品として用いることができるので、患者が安全に安心して使用することができる。
【００６２】
さらに、プラスチックダンボール材の波状材の断面部を熱シールや塞栓剤の充填等で封止することにより、液体の浸入を防ぐことができ、より取り扱いが容易である。
【００６３】
輸液スタンド１０は、板状の各部材により全体として箱状に構成されるので、取り扱いが容易であり、また、蓋部１４を閉めた状態では内部の収容物（輸液容器８０等）が隠されるため、意匠性の向上を図ることができる。
【００６４】
点滴筒保持部２６と輸液ポンプ保持部２４は、共通の板状部材に形成された第１孔部４０と第２孔部４２により構成されるので、点滴筒保持部２６と輸液ポンプ保持部２４とを簡単な構造で構成することができる。
【００６５】
蓋部１４の前面板４８には第１開口部５３が設けられるので、蓋部１４を閉めた状態で、輸液ポンプ保持部２４に保持された状態の輸液ポンプ８２を操作できる。したがって、輸液ポンプ８２の操作のために蓋部１４を開ける必要がないので、使い勝手を向上できる。
【００６６】
蓋部１４の前面板４８には第２開口部５４が設けられるので、点滴筒保持部２６に保持された状態の点滴筒９０を視認できる。したがって、蓋部１４を閉めた状態でも点滴筒９０の状態を確認することができるので、使い勝手を向上できる。
【００６７】
スタンド本体１２と蓋部１４とにそれぞれ設けられた第１把持片３４と第２把持片７０とによって把持部７６が構成されるので、把持部７６を把持することにより輸液スタンド１０を持ち上げた際には、第１把持片３４と第２把持片７０とによって輸液スタンド１０がバランスよく吊られ、これによって輸液スタンド１０を安定して持ち運ぶことができる。
【００６８】
図５は、変形例に係る輸液スタンド１１０の斜視図である。輸液スタンド１１０は、内箱１１２と外箱１１４とを有し、図５では、内箱１１２と外箱１１４とが分離した状態を示している。輸液スタンド１１０は、上述した輸液スタンド１０と同様にプラスチックダンボール材で構成されているため、安価に製造することができるとともに、清掃性が良好である。また、ダンボール材の断面が封止されているため、より清掃性も向上する。
【００６９】
内箱１１２は、輸液容器８０、輸液セット８４および輸液ポンプ８２を収容可能に構成されており、具体的には、底面板１１６と、底面板１１６の後端部から上方に屈曲する背面板１１８と、背面板１１８の左右端部から前面側に屈曲する左右の側面板１２０ａ、１２０ｂと、背面板１１８の上端から延出する容器取付板１２２と、背面板１１８の前面側下部の左右一方（図５では左側）に設けられた輸液ポンプ保持部１２４と、背面板１１８の前面側下部の左右他方（図５では右側）に設けられた点滴筒保持部１２６とを有する。
【００７０】
容器取付板１２２は、背面板１１８に対して折り曲げ線１２７の箇所で折り曲げ可能に設けられている。容器取付板１２２の先端寄りの左右方向の略中央部には、人手が入る大きさの開口部１２８が形成されている。また、容器取付板１２２における、背面側に折り曲げたときに後方を向く面（図５で見えている面）には、輸液容器８０を引っ掛けるフック１３０が左右方向に互いに離間して複数設けられている。輸液容器８０の大きさや重さによっては、フック１３０は１つでもよい。なお、フック１３０は、開口部１２８よりも折り曲げ線１２７側に設けられている。
【００７１】
輸液ポンプ保持部１２４は、輸液ポンプ８２を保持することが可能なように構成されている。点滴筒保持部１２６は、点滴筒９０を保持することが可能なように構成されている。図５に示すように、輸液ポンプ保持部１２４および点滴筒保持部１２６は、共通の板状部材に形成された孔部または切欠き部により構成されている。具体的には、内箱１１２の下部に設けられた下側保持部形成部材１３２の上面部１３２ａの左右方向一方側（図５では左寄りの箇所）に形成した第１孔部１３４により輸液ポンプ保持部１２４が構成され、下側保持部形成部材１３２の左右方向他方側（図５では右寄りの箇所）で上面部１３２ａから前面部１３２ｂにわたって形成された第２孔部１３６により点滴筒保持部１２６が構成されている。
【００７２】
第１孔部１３４は、輸液ポンプ８２を挿入可能であり、挿入した輸液ポンプ８２を正面側に向けて起立姿勢に保持できるように形状および大きさが設定される。図示例の第１孔部１３４は、左右方向に長尺の略長方形状に形成されている。下側保持部形成部材１３２の前面部１３２ｂには、第１孔部１３４に輸液ポンプ８２が保持されたときに輸液ポンプ８２の表示部９９および操作ボタン１００が前面側に露出するように位置、形状および大きさが設定された開口部１３８が形成されている。
【００７３】
第２孔部１３６は、点滴筒９０を挿入および係合可能であり、挿入した点滴筒９０を起立姿勢に保持できるように形状設定される。図示例の第２孔部１３６の形成範囲は、下側保持部形成部材１３２の上面部１３２ａのみならず、前面部１３２ｂにも及んでおり、第２孔部１３６に点滴筒９０が保持された状態で点滴筒９０が前面側に露出するようになっている。
【００７４】
外箱１１４は、上記のように構成された内箱１１２を収納でき、かつ収納された内箱１１２が外箱１１４内で大きくガタつくことがないように、内箱１１２よりも僅かに大きく構成されている。具体的には、外箱１１４は、前面が開放した本体部１４０と、本体部１４０の前面側を開閉可能な蓋部１４２とを有する。本体部１４０は、底面板１４４と、底面板１４４の後端部から上方に屈曲する背面板１４６と、背面板１４６の左右端部から前面側に屈曲する左右の側面板１４８ａ、１４８ｂと、背面板１４６の上端から延出する第１上部片１５０とを有する。
【００７５】
底面板１４４は、左右方向に長手方向を向けた略長方形の部分である。背面板１４６は、略四角形（略長方形または略正方形）の部分であり、図示例では、底面板１４４に対して直角に延在している。なお、背面板１４６は、第１実施形態における背面板１４６（図１参照）と同様に、上方に向かうに従って前方に寄るように、背面板１４６に直角な方向に対して例えば３度〜１０度程度の角度をもって傾斜してもよい。
【００７６】
左右の側面板１４８ａ、１４８ｂは、上下方向に長尺な形状を呈しており、図示例では、略長方形状に形成されている。なお、側面板１４８ａ、１４８ｂは、第１実施形態における側面板１４８ａ、１４８ｂ（図１参照）と同様に、下方に向かうに従って幅（前後方向の寸法）が大きくなるように形成し、輸液スタンド１１０を置いたときの安定性を向上させてもよい。
【００７７】
第１上部片１５０は、背面板１４６に対して折り曲げ線１５１の箇所で折り曲げ可能に設けられた中間部１５２と、中間部１５２に対して折り曲げ線１５３の箇所で折り曲げ可能に設けられた第１把持片１５４とを有する。第１把持片１５４の左右方向の略中央部には、人手を入れて引っ掛けるための左右方向に延在する孔部１５５が形成されている。
【００７８】
蓋部１４２は、本体部１４０の底面板１４４の前端部に対して折り曲げ線１５６の箇所で折り曲げ可能に設けられた略四角形（略長方形または略正方形）の前面板１５８と、前面板１５８の左右端部から張り出し、前面板１５８に対して折り曲げ線１６６、１６７の箇所で折り曲げ可能な左右の拡張部１６０ａ、１６０ｂと、前面板１５８の先端から延出する第２上部片１６２とを有する。
【００７９】
前面板１５８は、本体部１４０の前面側の略全体を覆う大きさを有している。前面板１５８において、本体部１４０の第１孔部１３４に対応する箇所には、蓋部１４２を閉めた状態で輸液ポンプ保持部１２４に保持された輸液ポンプ８２の操作を可能とする第１開口部１６３が形成されている。なお、第１開口部１６３は、蓋部１４２を閉めた状態で輸液ポンプ８２の表示部９９を視認できるようにも形成されている。また、前面板１５８において、本体部１４０の第２孔部１３６に対応する箇所には、蓋部１４２を閉めた状態で点滴筒保持部１２６に保持された点滴筒９０の視認を可能とする第２開口部１６４が形成されている。
【００８０】
左右の拡張部１６０ａ、１６０ｂは、前面板１５８に対して折り曲げ線１６６、１６７の箇所で折り曲げ可能に設けられており、それらの内面には、結合片として、面ファスナを構成する一方のシート１６８、１６９（例えばメスシート）が取り付けられている。一方、本体部１４０の左右の側面板１４８ａ、１４８ｂには、結合片として、面ファスナを構成する他方のシート１７０、１７１（例えばオスシート）が取り付けられている。
【００８１】
このように拡張部１６０ａ、１６０ｂに設けられたシート（結合片）１６８、１６９と、側面部に設けられたシート（結合片）１７０、１７１とにより、それぞれ一対の面ファスナ（結合手段）が構成される。したがって、蓋部１４２を閉じた状態で、拡張部１６０ａ、１６０ｂを折り曲げ線１６６、１６７の箇所で側面板１４８ａ、１４８ｂ側に折り曲げ、拡張部１６０ａ、１６０ｂに取り付けられたシート１６８、１６９を、側面板１４８ａ、１４８ｂに取り付けられたシート１７０、１７１に重ねることで、側面板１４８ａ、１４８ｂと拡張部１６０ａ、１６０ｂとが結合し、蓋部１４２が閉じた状態が保持される。
【００８２】
第２上部片１６２は、前面板１５８に対して折り曲げ線１７４の箇所で折り曲げ可能に設けられた中間部１７５と、中間部１７５に対して折り曲げ線１７６の箇所で折り曲げ可能に設けられた第２把持片１７７とを有する。第２把持片１７７の左右方向の略中央部には、人手を入れて引っ掛けるための左右方向に延在する孔部１７８が形成されている。
【００８３】
第２把持片１７７の内面には、結合片として、面ファスナを構成する一方のシート１８０、１８１（例えばメスシート）が取り付けられている。一方、本体部１４０の第１把持片１５４には、結合片として、面ファスナを構成する他方のシート１８２、１８３（例えばオスシート）が取り付けられている。
【００８４】
このように第１把持片１５４に設けられたシート（結合片）１８２、１８３と第２把持片１７７に設けられたシート（結合片）１８０、１８１とにより面ファスナ（結合手段）が構成される。したがって、蓋部１４２を閉じた状態で、中間部１５２、１７５を折り曲げ線１５１、１７４の箇所で内側に折り曲げ、第１把持片１５４と第２把持片１７７とを重ね合わせることで、シート１８０、１８２同士およびシート同士１８１、１８３が結合され、第１把持片１５４と第２把持片１７７とにより人手によって把持可能な把持部１８４（図８参照）が構成される。
【００８５】
上記のように構成された輸液スタンド１１０への輸液容器８０、輸液セット８４および輸液ポンプ８２の収納作業は、以下のような手順で行うことができる。まず、図６Ａに示すように、内部の輸液剤１８５が輸液容器８０の下半分に移動するように、輸液容器８０の上部を持って持ち上げ、この状態の輸液容器８０を、上方に向かせた（鉛直に立てた）容器取付板１２２のフック１３０に引っ掛ける。なお、輸液容器８０の上部に設けられた引っ掛け用の孔部８０ａ（図２も参照）にフック１３０を挿入することで、輸液容器８０が引っ掛かるようになっている。
【００８６】
次に、容器取付板１２２を、内箱１１２の背面側に折り曲げる。すると、図６Ｂに示すように、輸液剤１８５が入っていない、輸液容器８０の上部寄りの部分８０ｂが、容器取付板１２２とともに背面側に折り曲げられる。これにより、輸液容器８０は、輸液剤１８５が入った部分が背面板１４６の前面側にあり、輸液剤１８５が入っていない部分８０ｂが背面板１４６の後面側にあるように折り曲げられた状態で、内箱１１２に保持される。
【００８７】
内箱１１２に輸液容器８０をセットしたら、出口ポート８５に輸液セット８４のびん針８６を穿刺する。次に、点滴筒９０を点滴筒保持部１２６に挿入して保持させるとともに、輸液ポンプ８２を輸液ポンプ保持部１２４に挿入して保持させる。第１チューブ８８は、左右の側面板１４８ａ、１４８ｂ間の余った空間に収納する。
【００８８】
次に、この状態の内箱１１２を、蓋部１４２を開けた状態の外箱１１４の内側に置く（図７参照）。第２チューブ９２は、必要な長さ分だけ外側に出るように、内箱１１２および外箱１１４の上部から外側に引き回し、残りの部分は左右の側面板１４８ａ、１４８ｂ間の余った空間に収納する。
【００８９】
なお、輸液セット８４の内箱１１２へのセット（びん針８６の穿刺、点滴筒９０と輸液ポンプ８２の収納、および第１チューブ８８と第２チューブ９２の収納）は、内箱１１２を外箱１１４の内側に置いた後に行ってもよい。
【００９０】
次に、蓋部１４２を閉じ、シート１６８、１７０により左側の拡張部１６０ａを左側の側面板１４８ａに固定するとともに、シート１６９、１７１により右側の拡張部１６０ｂを右側の１４８ｂに固定する。また、シート１８０、１８１、１８２、１８３により、第１把持片１５４と第２把持片１７７とを結合する。これにより、図８に示すように、輸液スタンド１１０の内部に輸液容器８０、輸液セット８４および輸液ポンプ８２が収納された状態となる。
【００９１】
以上のように、変形例に係る輸液スタンド１１０は、プラスチックダンボール材で構成されているため、輸液スタンド１１０を安価に製造することができ、より多くの患者に提供しやすい。また、軽量かつ適度の強度をもたせることができることから持ち運びが容易となる。しかも、紙製のダンボールと異なり、プラスチックダンボール材は、液体が浸透することがなく、輸液スタンド１１０に輸液剤や他の液体が付着した場合でも、それを洗い流したり拭き取ったりすることで容易に除去することができる。
【００９２】
輸液スタンド１１０は、板状の各部材により全体として箱状に構成されるので、取り扱いが容易であり、また、蓋部１４２を閉めた状態では内部の収容物（輸液容器８０等）が隠されるため、意匠性の向上を図ることができる。
【００９３】
輸液容器８０は、全体が伸ばされた状態で収容されるのではなく、折り曲げた状態でコンパクトに収容されるので、輸液スタンド１１０の高さ寸法を低減できる。したがって、輸液スタンド１１０を軽量かつコンパクトな構成にすることができる。
【００９４】
点滴筒保持部１２６と輸液ポンプ保持部１２４は、共通の板状部材に形成された第１孔部１３４と第２孔部１３６により構成されるので、点滴筒保持部１２６と輸液ポンプ保持部１２４とを簡単な構造で構成することができる。
【００９５】
蓋部１４２の前面板１５８には第１開口部１６３が設けられるので、蓋部１４２を閉めた状態で、輸液ポンプ保持部１２４に保持された状態の輸液ポンプ８２を操作できる。したがって、輸液ポンプ８２の操作のために蓋部１４２を開ける必要がないので、使い勝手を向上できる。
【００９６】
蓋部１４２の前面板１５８には第２開口部１６４が設けられるので、点滴筒保持部１２６に保持された状態の点滴筒９０を視認できる。したがって、蓋部１４２を閉めた状態でも点滴筒９０の状態を確認することができるので、使い勝手を向上できる。
【００９７】
本体部１４０と蓋部１４２とにそれぞれ設けられた第１把持片１５４と第２把持片１７７とによって把持部１８４が構成されるので、把持部１８４を把持することにより輸液スタンド１１０を持ち上げた際には、第１把持片１５４と第２把持片１７７とによって輸液スタンド１１０がバランスよく吊られ、これによって輸液スタンド１１０を安定して持ち運ぶことができる。
【００９８】
上記において、本発明について好適な実施の形態を挙げて説明したが、本発明は前記実施の形態に限定されるものではなく、本発明の要旨を逸脱しない範囲において、種々の改変が可能なことは言うまでもない。
【符号の説明】
【００９９】
１０…輸液スタンド                      １２…スタンド本体
１４…蓋部                              １８…背面板
２０ａ、２０ｂ…側面板                  ２２…容器保持部
３４…第１把持片                        ４４…サポート部
４８…前面板                            ５０ａ、５０ｂ…拡張部
７０…第２把持片                        ７６…把持部
【図１】
2012029900.tif 000003
【図２】
2012029900.tif 000004
【図３】
2012029900.tif 000005
【図４】
2012029900.tif 000006
【図５】
2012029900.tif 000007
【図６】
2012029900.tif 000008
【図７】
2012029900.tif 000009
【図８】
2012029900.tif 000010